(57)【特許請求の範囲】
【請求項１】
開口を有する第１の筐体と、
前記開口に挿通される導電性の固定部材によって前記第１の筐体に組み付けられる第２の筐体であって、前記第１の筐体に対向する面から突出する導電性の突出部と前記固定部材とが当接される第２の筐体と、
前記固定部材に当接される導電性の第１のパターンが第１の面に形成され、前記突出部に当接される導電性の第２のパターンが前記第１の面とは逆側の第２の面に形成される基板と、
を備える電子機器。
【請求項２】
前記固定部材は雄ネジであり、
前記突出部は雌ネジであり、
前記第１の筐体と前記第２の筐体とは、前記雄ネジと前記雌ネジとの螺合によって組み付けられる、
請求項１に記載の電子機器。
【請求項３】
前記雌ネジは、前記第１の筐体に対向する面から突出して設けられたボス穴に設けられ、前記雌ネジの前記第１の筐体側の端部は、前記ボス穴から突出している、
請求項２に記載の電子機器。
【請求項４】
接地されるか否かによって、前記基板に搭載される電子部品に給電を行うか否かを制御する制御端子を有する二次電池をさらに備え、
前記第１のパターンおよび前記第２のパターンのうち、一方は前記制御端子に接続され、他方は接地される、
請求項１から請求項３のいずれか一項に記載の電子機器。
【請求項５】
前記第１の筐体の厚さが、前記基板の厚さより薄く形成されている、
請求項１から請求項４のいずれか一項に記載の電子機器。
【発明の詳細な説明】
【技術分野】
【０００１】
本発明は、電子機器に関する。
【背景技術】
【０００２】
近年、電子機器の美観を向上させるため、当該電子機器の底面全体を一枚の筐体で覆う構造が採用されている。このような筐体では、例えば電子機器内部に設けられた各種電子部品へのアクセスを可能とするため、当該筐体は取り外し可能となっている。当該電子機器の利用者が、ある電子部品にアクセスするために当該筐体を取り外すと、電子機器の底面全体が一枚の筐体で覆われているため、目的とは異なる電子部品も外部に露出される。そのため、二次電池から各種電子部品への電力供給が行われている場合、ショート等が発生する虞がある。そこで、筐体の取り外しを検出するセンサー等の部品を備え、筐体の取り外しが検出されると二次電池から電子部品への給電を停止させる技術が提案されている（例えば、特許文献１および２参照）。
【先行技術文献】
【特許文献】
【０００３】
【特許文献１】実公平７−１６３０４号公報
【特許文献２】特開２００９−２７０１９号公報
【発明の概要】
【発明が解決しようとする課題】
【０００４】
しかしながら、センサー等の部品が追加されると、当該部品の設置スペースを電子機器内に設けるため、電子機器の小型化および薄型化が阻害される虞がある。そこで、開示の技術の１つの側面は、小型化及び薄型化を実現しつつ筐体の取り外しを検出できる電子機器を提供することを課題とする。
【課題を解決するための手段】
【０００５】
開示の技術の１つの側面は、次のような電子機器によって例示される。本電子装置は、第１の筐体、第２の筐体および基板を備える。第１の筐体は開口を有する。第２の筐体は、開口に挿通される導電性の固定部材によって第１の筐体に組みつけられ、第１の筐体に対向する面から突出する導電性の突出部と固定部材とが当接される。基板は、固定部材に当接される導電性の第１のパターンが第１の面に形成され、突出部に当接される導電性の第２のパターンが第１の面とは逆側の第２の面に形成される。
【発明の効果】
【０００６】
本電子機器は、小型化及び薄型化を実現しつつ筐体の取り外しを検出できる。
【図面の簡単な説明】
【０００７】
【図１】図１は、ノートパソコンの底面図の一例である。
【図２】図２は、筐体を取り外したノートパソコンの底面図の一例である。
【図３】図３は、比較例に係るプリント基板の取付凹部近傍の一例を示す図である。
【図４】図４は、比較例に係るプリント基板の取付凹部近傍の断面図の一例である。
【図５】図５は、雄ネジ、接点部、配線および二次電池の電気的な接続の一例を示す図である。
【図６】図６は、雄ネジ、接点部、配線および二次電池の電気的な接続の一例を示す図である。
【図７】図７は、その形状に歪みが生じているプリント基板の取付凹部近傍の一例を示す図である。
【図８】図８は、第１実施形態に係るプリント基板の取付凹部近傍の一例を示す図である。
【図９】図９は、第１実施形態に係るプリント基板の取付凹部近傍の断面図の一例である。
【図１０】図１０は、第１変形例に係る筐体の挿通孔近傍の爆発図の一例である。
【図１１】図１１は、第１変形例におけるロック部材の近傍の一例を示す断面図である。
【図１２】図１２は、第２変形例に係るノートパソコンの底面図の一例である。
【図１３】図１３は、スライド部材近傍の断面図の一例である。
【図１４】図１４は、スライド部材近傍の断面図の一例である。
【発明を実施するための形態】
【０００８】
以下、図面を参照して、一実施形態に係るノートパソコンについて説明する。以下に示す実施形態の構成は例示であり、開示の技術は実施形態の構成に限定されない。
【０００９】
＜ノートパソコンの構成＞
図１は、比較例に係るノートパソコン１００の底面図の一例である。ノートパソコン１００は、その外装として筐体１０を有する。ノートパソコン１００の底面には、筐体１０の底面側である筐体１１が複数の雄ネジ２０によって固定されている。筐体１１は、雄ネジ２０を外すことで、ノートパソコン１００から取り外すことが可能である。図２は、雄ネジ２０を外すことで、筐体１１を取り外したノートパソコン１００の底面図の一例である。筐体１１を取り外すことで、ノートパソコン１００の利用者は、ノートパソコン１００内部に設けられたプリント基板５０に搭載された電子部品および二次電池４０にアクセス可能となる。二次電池４０およびプリント基板５０は、筐体１１と対向して配置される筐体１２に載置される。筐体１２には、複数のボス穴３３が設けられる。ボス穴３３は、筐体１２において、筐体１１と対向する面から突出するように設けられる。複数のボス穴３３のそれぞれには、複数の雄ネジ２０それぞれと螺合される複数の雌ねじ３０が設けられる。雄ネジ２０および雌ネジ３０は、例えば、金属を含む導体で作製される。
【００１０】
筐体１１と筐体１２とは、対向して設けられる。筐体１１には、雄ネジ２０が挿通される挿通孔１１ａが設けられる。筐体１２は、プリント基板５０を保持する。筐体１１と筐体１２とは、挿通孔１１ａに挿通された雄ネジ２０およびボス穴３３に設けられた雌ネジ３０の螺合によって組み付けられる。
【００１１】
二次電池４０は、ノートパソコン１００内部に設けられた各種電子部品に給電する。二次電池４０は、給電制御端子を有する。二次電池４０は、給電制御端子が接地されている場合、電子部品への給電を停止しない。また、二次電池４０は、給電制御端子が接地されていない場合、電子部品への給電を停止する。ノートパソコン１００は、二次電池４０を備えることで、外部電源に接続されていない状態でも使用可能となる。
【００１２】
プリント基板５０には、プロセッサ、メモリ等の集積回路、抵抗器、コンデンサー、ＬＥＤ（Light Emitting Diode）等の様々な電子部品が搭載される。プリント基板５０は、搭載される電子部品を相互に接続する配線を供給する。プリント基板５０には、雄ネジ２０が挿通される取付凹部が設けられる。取付凹部は、筐体１１の挿通孔１１ａに挿通され、雌ネジ３０と螺合される雄ネジ２０によって挿通される位置に設けられる。
【００１３】
以上で説明した事項を前提に、以下、筐体１１が取り外されると二次電池４０からの給電を停止する比較例、第１実施形態および変形例について説明する。
【００１４】
＜比較例＞
比較例では、雄ネジ２０が取り外されると二次電池４０から電子部品への給電が停止される構成について説明する。以下、図面を参照して、比較例について説明する。
【００１５】
図３は、比較例に係るプリント基板１５０の取付凹部５１近傍の一例を示す図である。図３は、取付凹部５１近傍を上面視した図の一例である。プリント基板１５０は、取付凹部５１近傍に接点部１５２、１５３が設けられている点で、プリント基板５０と異なる。接点部１５２は、配線１５２ａを介して接地される。また、接点部１５３は、配線１５３ａによって、二次電池４０の給電制御端子に接続される。接点部１５２、１５３および配線１５２ａ、１５３ａは、例えば、銅箔によって形成される。接点部１５２、１５３は、互いに離間して設けられる。接点部１５２、１５３および配線１５２ａ、１５３ａは、プリント基板１５０の筐体１１と対向する面に設けられる。
【００１６】
図４は、比較例に係るプリント基板１５０の取付凹部５１近傍の断面図の一例である。図４は、図１におけるＡ−Ａ断面図の一例である。雄ネジ２０は、筐体１１の挿通孔１１ａに挿通され、雌ネジ３０と螺合される。雌ネジ３０と螺合される雄ネジ２０の頭２１は、接点部１５２、１５３と接する。接点部１５２、１５３が、雄ネジ２０の頭２１ａと接すると、接点部１５２、１５３間が電気的に接続される。以下、本明細書において、図４の筐体１１側を上、筐体１２側を下とする。また、図４に向かって右側を右、左側を左とする。
【００１７】
図５および図６は、雄ネジ２０、接点部１５２、１５３、配線１５２ａ、１５３ａおよび二次電池４０の電気的な接続の一例を示す図である。図５および図６において、スイッチ３００は、雄ネジ２０に対応する。また、接点３０１、３０２は、それぞれ接点部１５２、１５３に対応する。配線３０３、３０４は、それぞれ配線１５２ａ、１５３ａに対応する。すなわち、図５では、雄ネジ２０が接点部１５２、１５３と接触している状態が例示されている。また、図６では、雄ネジ２０が接点部１５２、１５３と接触していない状態が例示されている。図５および図６では、二次電池の１番の端子が電子部品へ給電する端子であり、４番の端子が給電制御端子４１となっている。接点部１５２に対応する接点３０１は、配線１５２ａに対応する配線３０３によって、接地されている。接点部１５３に対応する接点３０２は、配線１５３ａに対応する配線３０４によって、給電制御端子４１である４番端子に接続されている。図５に例示される状態では、スイッチ３００が、接点３０１、３０２と接触することにより、接点３０１、３０２間が電気的に接続されている。すなわち、接点部１５２、１５３間が電気的に接続され、給電制御端子４１は接地される。その結果、二次電池４０の１番端子からの電子部品への給電が停止されない。また、図６に例示される状態では、スイッチ３００が、接点３０１、３０２と接触していないため、接点３０１、３０２間が電気的に接続されていない。すなわち、接点部１５２、１５３間が電気的に接続されず、給電制御端子４１は接地されない。その結果、二次電池４０の１番端子からの電子部品への給電が停止される。
【００１８】
しかしながら、接点部１５２、１５３をプリント基板１５０の一方の面に設けると、以下のような場合に雄ネジ２０と接点部１５２、１５３との接触が不良となる場合がある。雄ネジ２０と接点部１５２、１５３との接触が不良となる場合、筐体１１の取り外しを正しく検出できない虞がある。
【００１９】
図７は、形状に歪みが生じているプリント基板１５０の取付凹部５１近傍の一例を示す図である。図７は、図１におけるＡ−Ａ断面図の一例である。プリント基板１５０の形状の歪みは、例えば、製造誤差等によって生じ得る。図７では、プリント基板１５０において、取付凹部５１の左側よりも右側の方が薄く形成されている。そのため、接点部１５３の高さは、接点部１５２より低くなっている。その結果、雄ネジ２０の頭２１と接点部１
５３との間に隙間が生じている。すなわち、雄ネジ２０の頭２１と接点部１５３とが接触しないため、接点部１５２、１５３間が電気的に接続されない。その結果、筐体１１を取り付けても、二次電池４０から電子部品への給電が停止される虞がある。
【００２０】
雄ネジ２０の頭２１と接点部１５２、１５３間の接触不良は、例えば、接点部１５２、１５３のそれぞれを形成する銅箔の厚みが異なる場合にも生じ得る。また、雄ネジ２０が斜めに絞められた場合にも、雄ネジ２０の頭２１と接点部１５２、１５３間の接触不良は生じ得る。比較例では、このような製造上の誤差等によって、雄ネジ２０の頭２１と接点部１５２、１５３との接触が不良になる虞がある。
【００２１】
筐体１１の取り外しをより確実に検出するため、Magneto Resistive（ＭＲ）センサー
を採用する方法も考えられる。ＭＲセンサーを採用する場合、筐体１１に磁石を設けることで、筐体１１の取り外しをＭＲセンサーによって検出可能となる。ＭＲセンサーを用いることで、比較例よりも確実に筐体１１の取り外しを検出できる一方、ＭＲセンサーおよび磁石をノートパソコン１００内に設けるため、ノートパソコン１００の小型化および薄型化が難しくなる。
【００２２】
＜第１実施形態＞
比較例では、プリント基板１５０の製造上の誤差等により、雄ネジ２０の頭２１と接点部１５２、１５３との接触が不良となる場合があった。第１実施形態では、このような事象の発生を抑制する構成について説明する。以下、図面を参照して、第１実施形態について説明する。なお、比較例と同一の構成要素については同一の符号を付し、説明を省略する。
【００２３】
図８は、第１実施形態に係るプリント基板２５０の取付凹部５１近傍の一例を示す図である。プリント基板２５０には、ノートパソコン１００に備えられる様々な電子機器が搭載される。図８（Ａ）は、プリント基板２５０の一方の面を上面視した図である。図８（Ｂ）は、プリント基板２５０の他方の面を上面視した図である。プリント基板２５０では、その一方の面に接点部２５２が、その他方の面には接点部２５３が設けられる。プリント基板２５０は、取付凹部５１近傍の両面にそれぞれ接点部２５２、２５３が設けられている点で、プリント基板１５０と異なる。接点部２５２および接点部２５３は、互いに離間して設けられる。接点部２５２は、配線２５２ａを介して接地されている。また、接点部２５３は、配線２５３ａによって、二次電池４０の給電制御端子４１に接続される。接点部２５２、２５３および配線２５２ａ、２５３ａは、例えば、銅箔によって形成される。プリント基板２５０は、「基板」の一例である。給電制御端子４１は、「制御端子」の一例である。
【００２４】
図９は、第１実施形態に係るプリント基板２５０の取付凹部５１近傍の断面図の一例である。図９は、図１におけるＡ−Ａ断面図の一例である。図９では、筐体２１１と筐体１２とが、筐体２１１の挿通孔１１ａに挿通された雄ネジ２０と筐体１２のボス穴３３に設けられた雌ネジ３０ａとの螺合によって組み付けられている。雌ネジ３０ａは、ボス穴３３の端部より上方に突出して設けられる点で、雌ネジ３０と異なる。図９では、プリント基板２５０に設けられた接点部２５２、２５３の各々が、雄ネジ２０の頭２１および雌ネジ３０ａの端部と当接されている。図９における筐体２１１の厚さＴはプリント基板２５０よりも薄く形成される。すなわち、筐体２１１のうち、少なくとも雄ネジ２０と雌ネジ３０ａとの間の部分における厚さは、プリント基板２５０よりも薄く形成される。筐体２１１の厚さＴがプリント基板２５０よりも薄く形成されることで、より確実に雄ネジ２０および雌ネジ３０ａによってプリント基板２５０が挟持される。筐体２１１は、「第１の筐体」の一例である。挿通孔１１ａは、「開口」の一例である。雄ネジ２０は、「導電性の固定部材」の一例である。筐体１２は、「第２の筐体」の一例である。接点部２５２は
、「第１のパターン」の一例である。接点部２５３は、「第２のパターン」の一例である。雌ネジ３０ａは、「導電性の突出部」の一例である。
【００２５】
図５および図６を参照すると、スイッチ３００は、雄ネジ２０および雄ネジ２０と螺合する雌ネジ３０ａに対応する。接点３０１、３０２は、それぞれ接点部２５２、２５３に対応する。配線３０３、３０４は、それぞれ配線２５２ａ、２５３ａに対応する。接点部２５２に対応する接点３０１は、配線２５２ａに対応する配線３０３よって、接地されている。接点部２５３に対応する接点３０２は、配線２５３ａに対応する配線３０４によって、給電制御端子４１である４番端子に接続されている。
【００２６】
筐体２１１と筐体１２とは、雄ネジ２０と雌ネジ３０ａとの螺合によって組み付けられる。雄ネジ２０が雌ネジ３０ａと螺合されると、雄ネジ２０の頭２１は、接点部２５２に当接される。また、雌ネジ３０ａは、接点部２５３に当接される。すなわち、図５に例示されるように、接点３０１、３０２間が電気的に接続され、給電制御端子４１は接地される。すなわち、接点部２５２、２５３間が電気的に接続され、給電制御端子４１が接地される。その結果、二次電池４０の１番端子からの電子部品への給電が停止されない。
【００２７】
雄ネジ２０が取り外されると、雄ネジ２０の頭２１は、接点部２５２に当接されない。すなわち、図６に例示されるように、スイッチ３００が、接点３０１、３０２と接触していない状態となる。そのため、接点３０１、３０２間が電気的に接続されない。すなわち、接点部２５２、２５３間が電気的に接続されず、給電制御端子４１は接地されない。その結果、二次電池４０からの電子部品への給電が停止される。
【００２８】
第１実施形態では、プリント基板２５０の表面および裏面のそれぞれに、接点部２５２、２５３を設けた。筐体２１１と筐体１２とが組み付けられると、プリント基板２５０は、雄ネジ２０と雌ネジ３０ａによって挟持される。そのため、その形状に多少の歪みが生じたプリント基板２５０に対しても、接点部２５２、２５３のそれぞれは、雄ネジ２０および雌ネジ３０ａと電気的に接続される。その結果、プリント基板２５０の形状に多少の歪みが生じた場合でも、筐体２１１の取り外しが検出可能となる。
【００２９】
第１実施形態では、筐体２１１のうち、少なくとも雄ネジ２０と雌ネジ３０ａとの間の部分における厚さは、プリント基板２５０よりも薄く形成される。その結果、より確実に雄ネジ２０および雌ネジ３０ａによってプリント基板２５０が挟持される。
【００３０】
第１実施形態では、雌ネジ３０ａは、ボス穴３３から突出して設けられた。そのため、ボス穴３３の端部が雌ネジ３０ａよりも先に接点部２５３と接することによる、雌ネジ３０ａおよび接点部２５３間の電気的な接触不良の発生を抑制できる。
【００３１】
第１実施形態では、雄ネジ２０が取り外されると、二次電池４０から電子部品への給電が停止された。そのため、筐体２１１を取り外した場合の電子部品のショート等の発生が抑制される。
【００３２】
第１実施形態では、雄ネジ２０および雌ネジ３０ａの螺合によって筐体２１１と筐体１２とが組み付けられた。雄ネジ２０は、一般的な家庭でも常備されることの多いドライバーによって取り付けまたは取り外しが可能である。そのため、第１実施形態によれば、特殊な工具を用意せずに、筐体２１１を取り外すことが可能である。
【００３３】
第１実施形態では、雄ネジ２０が筐体２１１の取り外しの検出と筐体２１１の固定の２つの役割を担った。そのため、第１実施形態は、筐体２１１の取り外しを検出する部品をノートパソコン１００に追加しなくとも筐体２１１の取り外しを検出可能である。その結
果、第１実施形態によれば、ノートパソコン１００の部品点数を削減でき、ノートパソコン１００の小型化および薄型化を促進できる。さらに、部品点数が削減されることにより、ノートパソコン１００の開発工数を削減可能である。
【００３４】
第１実施形態では、電子機器の一例として、ノートパソコン１００が例示された。しかしながら、第１実施形態に係る技術の適用対象は、ノートパソコン１００に限定されない。第１実施形態に係る技術は、筐体が取り外し可能な様々な電子機器に適用可能である。第１実施形態に係る技術は、例えば、据え置き型の電子機器に対しても適用可能である。据え置き型の電子機器は、例えば、デスクトップパソコンおよびサーバである。また、第１実施形態に係る技術は、例えば、可搬型の電子機器に対しても適用可能である。可搬型の電子機器は、例えば、タブレットパソコン、スマートフォン、携帯電話、ウェアラブルコンピュータである。
【００３５】
第１実施形態では、二次電池４０の給電制御端子４１が接地されると、二次電池４０は電子部品への給電を停止した。しかしながら、二次電池４０による給電の停止は、このような条件に限定されない。二次電池４０は、給電制御端子４１が接地されない場合に、電子部品４０への給電を停止することも可能である。この場合、雄ネジ２０と雌ネジ３０ａとが螺合されると給電制御端子４１が接地されず、雄ネジ２０が取り外されると給電制御端子４１が接地されるように配線すればよい。
【００３６】
第１実施形態では、雌ネジ３０ａは、筐体１２のボス穴３３に設けられた。しかしながら、雌ネジ３０ａは、他の方法によって設けることも可能である。雌ネジ３０ａは、例えば、金属で形成された筐体１２と一体で形成されてもよい。
【００３７】
第１実施形態では、雄ネジ２０と雌ネジ３０ａとの螺合によって、筐体２１１と筐体１２とが組み付けられた。しかしながら、筐体２１１と筐体１２とを組み付ける構造は、雄ネジ２０と雌ネジ３０ａとの螺合に限定されるわけではない。以下、筐体を組み付ける構造の変形例について説明する。
【００３８】
＜第１変形例＞
第１実施形態では、雄ネジ２０と雌ネジ３０ａとの螺合によって、筐体２１１と筐体１２とが組みつけられた。第１変形例では、雄ネジ２０の代わりに、略Ｌ字形状を有する部材であるロック部材によって、筐体が組みつけられる。
【００３９】
図１０は、第１変形例に係る筐体２１１の挿通孔１１ａ近傍の爆発図の一例である。第１変形例では、筐体２１１と筐体３１２とは、ロック部材３２０およびロック受け部材３３０によって組み付けられる。ロック部材３２０は、軸３２３の方向の一方の端部に頭３２１を有し、他方の端部に凸部３２２を有する。凸部３２２は、ロック部材３２０の軸３２３の他方の端部において突出するように設けられる。ロック部材３２０は、金属を含む導電性を有する材質で形成される。ロック部材３２０は、「導電性の固定部材」の一例である。
【００４０】
ロック受け部材３３０は、筐体３１２の筐体２１１と対向する面において、突出するように設けられる鍵穴上の部材である。ロック受け部材３３０は、開口部３３１およびロック溝部３３２を有する。開口部３３１は、筒状に形成されている。ロック溝部３３２は、開口部３３１の底部より水平方向に設けられた溝である。ロック受け部材３３０は、金属を含む導電性を有する材質で形成される。ロック部材３２０は、筐体２１１の挿通孔１１ａを介してロック受け部材３３０の開口部３３１に挿通される。開口部３３１に挿通されたロック部材３２０は、軸３２３を中心にして所定の角度回転させることで、凸部３２２がロック溝部３３２に係合される。その結果、ロック部材３２０はロック受け部材３３０
から抜けなくなり、筐体２１１と筐体３１２とが組み付けられる。ロック受け部材３３０は、「導電性の突出部」の一例である。
【００４１】
図１１は、第１変形例におけるロック部材３２０の近傍の一例を示す断面図である。図１１は、図１におけるＡ−Ａ断面図の一例である。筐体２１１と筐体３１２とは、ロック部材３２０とロック受け部材３３０との係合によって組み付けられる。ロック部材３２０とロック受け部材３３０とが係合されると、ロック部材３２０は、プリント基板２５０の接点部２５２に当接される。また、ロック受け部材３３０は、プリント基板２５０の接点部２５３に当接される。そのため、接点部２５２、２５３間が電気的に接続され、二次電池４０の給電制御端子４１は接地される。その結果、二次電池４０は、電子部品への給電を停止しない。
【００４２】
ロック部材３２０が取り外されると、ロック部材３２０は接点部２５２に当接されない。そのため、接点部２５２、２５３間が電気的に接続されず、給電制御端子４１は接地されない。その結果、二次電池４０から電子部品への給電が停止される。
【００４３】
第１変形例によれば、雄ネジ２０の代わりにロック部材３２０、雌ネジ３０ａの代わりにロック受け部材３３０を採用しても、第１実施形態と同様に筐体２１１の取り外しを検出可能である。
【００４４】
＜第２変形例＞
第２変形例では、筐体を組み付ける構造として、スライド式のロック機構が採用される。以下、図面を参照して、第２変形例について説明する。
【００４５】
図１２は、第２変形例に係るノートパソコン１００の底面図の一例である。第２変形例では、筐体４１１と筐体４１２とは、スライド部材４２０によって組み付けられる。第２変形例では、スライド部材４２０を所定方向にスライドさせることで、筐体４１１を筐体４１２から取り外すことが可能である。
【００４６】
図１３は、スライド部材４２０近傍の断面図の一例である。図１３は、図１２におけるＢ−Ｂ断面図の一例である。スライド部材４２０は、板状の部材である。スライド部材４２０は、筐体４１１の挿通孔４１１ａに設けられる。スライド部材４２０の両端部は、筐体４１１の下方に潜り込んでいる。スライド部材の略中央には、凸部４２０ａが設けられている。凸部４２０ａの端部が挿通孔４１１ａの端部に当接されることで、スライド部材４２０の移動範囲が規制される。また、スライド部材４２０のスライド方向における一方の端部と筐体４１１の内側に突出する突出部４１１ｂとの間には、コイルばね４２１が設けられている。図１３に向かって右方向にスライドされたスライド部材４２０は、コイルばね４２１の弾性力によって付勢され、左方向に押し戻される。第２変形例では、スライド部材４２０を右方向にスライドさせることで、筐体４１１が取り外し可能となる。スライド部材４２０によって筐体４１１と筐体４１２とを組み付ける構造に限定は無い。スライド部材４２０は、様々な公知の構造によって、筐体４１１と筐体４１２を組み付け可能である。スライド部材４２０は、「導電性の固定部材」の一例である。挿通孔４１１ａは、「開口」の一例である。
【００４７】
筐体４１２には、筐体４１１と対向する面から突出するように設けられる突出部４３０が設けられる。突出部４３０は、金属を含む導体によって形成される。突出部４３０の上端部には凸部４３０ａが設けられる。プリント基板２５０は、突出部４３０の凸部４３０ａに当接されることで、位置決めされる。その結果、プリント基板２５０の接点部２５３と突出部４３０とが当接される。
【００４８】
スライド部材４２０には、正面視ハの字形状に形成された板ばね４２０ｂが設けられている。板ばね４２０ｂは、金属を含む導体によって形成される。板ばね４２０ｂは、スライド部材４２０の下方に設けられている。筐体４１１と筐体４１２とが組み付けられると、板ばね４２０ｂの一方の端部４２０ｂ１は、プリント基板２５０の接点部２５２に当接される。また、板ばね４２０ｂの他方の端部４２０ｂ２は、筐体４１２において筐体４１１と対向する面から突出するように設けられる突出部４３０の端部４３０ａに当接される。すなわち、板ばね４２０ｂおよび突出部４３０を介して、接点部２５２と接点部２５３とが電気的に接続される。そのため、二次電池４０の給電制御端子４１が接地される。その結果、二次電池４０は、電子部品への給電を停止しない。突出部４３０は、「導電性の突出部」の一例である。
【００４９】
図１４は、スライド部材４２０近傍の断面図の一例である。図１４は、図１２におけるＢ−Ｂ断面図の一例である。図１４では、スライド部材４２０が右方向にスライドされた状態、すなわち、スライド部材４２０によるロックが解除された状態の一例が示されている。スライド部材４２０によるロックが解除されると、板ばね４２０ｂは、プリント基板２５０の接点部２５２に当接されなくなる。そのため、接点部２５２と接点部２５３とが電気的に接続されなくなり、二次電池４０の給電制御端子４１は、接地されない。その結果、二次電池４０は、電子部品への給電を停止する。
【００５０】
第２変形例によれば、雄ネジ２０の代わりにスライド部材４２０、雌ネジ３０ａの代わりに突出部４３０を採用しても、第１実施形態と同様に筐体４１１の取り外しが検出可能となる。
【００５１】
第２変形例において、スライド部材４２０は、コイルばね４２１によって付勢された。しかしながら、スライド部材４２０に付勢する部材は、コイルばね４２１に限定されるわけではない。スライド部材４２０に付勢する部材は、弾性力を有する様々な部材を採用できる。スライド部材４２０に付勢する部材として、例えば、板ばねまたはゴムを例示できる。
【００５２】
以上で開示した実施形態や変形例はそれぞれ組み合わせる事ができる。
【符号の説明】
【００５３】
１００・・・ノートパソコン
１０、１１、１２、２１１、４１１、４１２・・・筐体
１５２、１５３、２５２、２５３・・・接点部
１５２ａ、１５３ａ、２５２ａ、２５３ａ・・・配線
２０・・・雄ネジ
２１、３２１・・・頭
３０、３０ａ・・・雌ネジ
３３・・・ボス穴
４０・・・二次電池
４１・・・給電制御端子
５０、１５０、２５０・・・プリント基板
５１・・・取付凹部
３２０・・・ロック部材
３３０・・・ロック受け部材
４２０・・・スライド部材
４２０ｂ・・・板ばね
４１２・・・コイルばね                                                        
【図１】
0006424140.tif 000002
【図２】
0006424140.tif 000003
【図３】
0006424140.tif 000004
【図４】
0006424140.tif 000005
【図５】
0006424140.tif 000006
【図６】
0006424140.tif 000007
【図７】
0006424140.tif 000008
【図８】
0006424140.tif 000009
【図９】
0006424140.tif 000010
【図１０】
0006424140.tif 000011
【図１１】
0006424140.tif 000012
【図１２】
0006424140.tif 000013
【図１３】
0006424140.tif 000014
【図１４】
0006424140.tif 000015